(57)【要約】      （修正有）【課題】整地機械における内燃機関の空気フィルタとして、コンパクトな形状で高い効果を発揮する空気フィルタを提供する。【解決手段】フィルタハウジング１がハウジング下部部材及び該ハウジング下部部材に載置される着脱可能なハウジングカバーを備え、前記フィルタハウジング１にはフィルタインサート４が設置され、前記フィルタハウジング１には該フィルタハウジングと一体化するように形成されたサイクロン型プレセパレータ６が吸気口側の吸気方向に内蔵され、該サイクロン型プレセパレータ６はスポンジフィルタより先に浄化機能を発揮し、さらに該スポンジフィルタは前記フィルタインサート４より先に機能することを特徴とする。【選択図】図２
2010185452.tif 000002
【特許請求の範囲】
【請求項１】
特に整地機械における内燃機関の空気フィルタであって、
フィルタハウジングがハウジング下部部材及び該ハウジング下部部材に載置される着脱可能なハウジングカバーを備え、前記フィルタハウジングにはフィルタインサートが設置され、
前記フィルタハウジングには該フィルタハウジングと一体化するように形成されたサイクロン型プレセパレータが吸気口側の吸気方向に内蔵され、
該サイクロン型プレセパレータはスポンジフィルタより先に浄化機能を発揮し、さらに該スポンジフィルタは前記フィルタインサートより先に機能することを特徴とする内燃機関の空気フィルタ。
【請求項２】
前記フィルタインサートにおいてフィルタエレメントを星形放射状に折り畳まれたフィルタ素材から構成することを特徴とする請求項１に記載の内燃機関の空気フィルタ。
【請求項３】
前記スポンジフィルタを環状に形成して前記フィルタインサートを包囲し、該フィルタインサートの交換時に同時に交換可能な構成部材として組み込むことを特徴とする請求項１又は２に記載の内燃機関の空気フィルタ。
【請求項４】
前記フィルタインサートは閉鎖した底面を備え、該底面に向かい合う位置にカバーを形成し、該カバーは前記ハウジング下部部材の清浄空気通路に連結する排気口を備える。前記カバーは前記ハウジング下部部材に、前記底面は前記ハウジングカバーに接触しており、したがって前記フィルタインサートは前記ハウジング下部部材と前記ハウジングカバーの間に挟着して固定されることを特徴とする請求項１乃至３いずれか１に記載の内燃機関の空気フィルタ。
【請求項５】
前記ハウジングカバーの一方を前記ハウジング下部部材に回動可能な状態で載置し、反対側の一方を締結部材で固定することを特徴とする請求項４に記載の内燃機関の空気フィルタ。
【請求項６】
複数の、あるいは少なくとも一つのヒンジ軸を、固定側を備えた状態で突設し、該ヒンジ軸を対応する軸受孔に嵌合することにより、回動可能な状態にある前記ハウジングカバーを固定することを特徴とする請求項５に記載の内燃機関の空気フィルタ。
【請求項７】
前記固定側の対面側が面取りされた丸面を有することを特徴とする請求項６に記載の内燃機関の空気フィルタ。
【請求項８】
前記固定側が分割面とは逆方向に角を有することを特徴とする請求項６又は７に記載の内燃機関の空気フィルタ。
【請求項９】
締結部材がノブ付ねじであることを特徴とする請求項５乃至８いずれか１に記載の内燃機関の空気フィルタ。
【請求項１０】
前記サイクロン型プレセパレータを前記フィルタインサートにおける長軸の接線上に設置することを特徴とする請求項１乃至９いずれか１に記載の内燃機関の空気フィルタ。
【請求項１１】
前記サイクロン型プレセパレータが外側に格子壁を備え、該格子壁が先に機能することを特徴とする請求項１乃至１０いずれか１に記載の内燃機関の空気フィルタ。
【請求項１２】
前記ハウジング下部部材のハウジング底面には清浄空気通路が組み込まれ、該清浄空気通路の断面は全円ではなく平らに、特に楕円形に形成されることを特徴とする請求項１乃至１１いずれか１に記載の内燃機関の空気フィルタ。
【発明の詳細な説明】
【技術分野】
【０００１】
本発明は請求項１に記載の内燃機関における空気フィルタに関する。
【背景技術】
【０００２】
内燃機関において吸気空気は空気フィルタを通して流入し、その結果内燃機関へ吸気される空気の塵埃の混入あるいは塵埃の混入による不具合を防ぐことができる。このような空気フィルタの典型的な構成として、フィルタハウジングが下部部材及び該下部部材に載置される着脱可能なカバーを備え、前記フィルタハウジングにはフィルタインサートが設置される。吸気流を流過したフィルタインサートは、吸着した塵埃の粒子を保持し、該塵埃粒子はフィルタ素材の内側あるいは外側に定着する。フィルタインサートの汚染度合いが上昇するに従い流過抵抗が上昇するため、定期的にあるいはフィルタインサートの汚染度合いが臨界値に達した際にはフィルタインサートを交換する必要がある。その際ハウジングカバーを取り外し、フィルタインサートを取り出して交換する。
【０００３】
外気の塵埃負荷が高い内燃機関の運転条件下においては、従来のフィルタ構成では不充分であり、フィルタ素材が早く消耗してしまう可能性がある。粗塵をあらかじめ保持し、フィルタインサートの寿命を延ばすプレセパレータにより、こうした問題が軽減するものの、プレセパレータの導入にはさらなる設置空間を確保する必要があり、該設置空間は常に得られるわけではない。例えば建設機械、特にロードローラー等のような整地機械は、塵埃等による負荷が高い運転条件下においても、低いメンテナンス頻度において高いフィルタ効果を発揮すると同時に、機械の手動操作性を高めるためにコンパクトな形状でなくてはならない。
【発明の概要】
【発明が解決しようとする課題】
【０００４】
本発明は、上記課題を解決するために、コンパクトな形状で高い効果を発揮する空気フィルタを開示する。
【課題を解決するための手段】
【０００５】
上記課題は請求項１に記載の特徴を持つ空気フィルタによって解決される。
【０００６】
本発明は内燃機関の空気フィルタを開示する。該空気フィルタにおいて、フィルタハウジングと一体化するように形成された遠心力利用型（以下サイクロン型という）プレセパレータが吸気口側の吸気方向に内蔵される。該サイクロン型プレセパレータに続いてスポンジ状フィルタ、フィルタインサートが順次機能し、したがって３段階でフィルタリングが行われる。まず粗大な塵埃がサイクロン型プレセパレータによって、次に中型の塵埃がスポンジフィルタによって、最後に微細な塵埃粒子がフィルタインサートによって、流入した吸気空気中から分離あるいは吸気空気に逆戻りしないように保持される。
サイクロン型プレセパレータがフィルタハウジングに内蔵されていること、なおかつ３つのフィルタあるいはセパレータが各々特定の大きさの塵埃に対応するよう想定され、３段階のフィルタリングを行うことにより、空気フィルタの特にコンパクトな形状が実現する。
分離効果が永続するという機能的条件により、サイクロン型プレセパレータはメンテナンスが不要であり、したがってサイクロン型プレセパレータに続いて機能するスポンジフィルタにかかる負荷が軽減される。スポンジフィルタもまた続いて機能するフィルタインサートにかかる負荷を軽減するため、フィルタハウジングと同様フィルタインサートも特にコンパクトな形状に収めることができる。
上記の理由から、例として建設作業、特に整地作業のような塵埃による負荷が大きい稼働環境下においても、コンパクトな形状でなおかつフィルタインサートの交換を低頻度に抑えることができる。
【０００７】
（例えば化学繊維の不織布やグラスペーパーからなるフィルタ素材を放射状に折畳して筒体枠に収納したフィルタである）フィルタインサートの構成については、様々な形状が考えられる。最初に機能するサイクロン型プレセパレータ及び（例えば前記筒体枠の周面に形成される）スポンジフィルタとの関連において、さらに設置空間及びフィルタ効果上の観点から、フィルタインサートは星形放射状に折り畳まれたフィルタ素材、特にフィルタ紙からなるのが好ましい。
あるいは半径方向外側から内側に向かって空気を流入させるため、基本的に円筒状に形成されるフィルタ体として形成するのもよい。この場合、形状がコンパクトになり、なおかつフィルタ素材にかかる負荷は場所によってむらを生じることなく均等になる。
【０００８】
スポンジフィルタを例として平面的に配設するのもよいが、好ましくは該スポンジフィルタを環状に形成してフィルタインサートを包囲し、フィルタインサートの交換時に同時に交換可能な構成部材として組み込む。環状に形成することにより、スポンジフィルタは前記したフィルタインサートの場合と同様の流入条件下に置かれる。すなわち放射状に外側から内側に向かって空気が流入することにより、スポンジ素材にかかる負荷は場所によってむらを生じることなく均等になり、なおかつフィルタインサートと同軸上に形成することによって設置空間を著しく節約することができる。
スポンジフィルタ及び内包されるフィルタインサートのフィルタ効果は、互いに影響下にあるため、フィルタの寿命が同時あるいは少なくとも近い時期に訪れる。スポンジフィルタをフィルタインサートと同時に交換可能な構成部材として組み入れることにより、空間的な節約だけでなくフィルタインサートとスポンジフィルタの透過性を常に同程度に保ち、流入における抵抗を軽減することも保証される。
【０００９】
フィルタインサートの効果的な構成として、閉鎖した底面を備え、該底面に向かい合う位置にカバーを形成し、該カバーはハウジング下部部材の清浄空気通路に連結する排気口を備える。該カバーはハウジング下部部材に、また前記底面はハウジングカバーに接触しており、したがってフィルタインサートはハウジング下部部材とハウジングカバーの間に挟着して固定される。
こうした構成には、フィルタインサートの排気口とハウジング下部部材の清浄空気通路とが密着し、間で空気漏れのないようにすることが肝要だが、ハウジング下部部材とハウジングカバーとの挟着力により、前記排気口と清浄空気通路の密着を持続的に保つことが出来る。誤って含塵空気が流入するのを避けるために、気密のためのさらなる措置を講じる必要はない。
フィルタハウジングの構成としては、前記ハウジング下部部材及びハウジングカバーによる簡易な２部構成で、空気フィルタの全体的な機能、すなわち塵埃の保持機能、塵埃を清浄空気に混入させない気密機能、空気の流入機能及びフィルタインサートのメンテナンスあるいは交換の容易化という諸機能が実現可能となる。
【００１０】
また、ハウジングカバーとハウジング下部部材をねじで固定あるいはクリップ等で連結するのも効果的である。実施形態として好ましくは、ハウジングカバーの一方をハウジング下部部材に回動可能な状態で載置し、反対側の一方を締結部材で固定する。ハウジングカバーを回動可能な状態で設置することで、ハウジングカバーはハウジング下部部材上を回動するに留まり接続したままの状態を保つため、フィルタインサートの交換が容易になる。新しいフィルタインサートを設置した後は、ハウジングの片側に取り付けた締結部材の固定力のみにより、ハウジングカバーからフィルタインサートに対して押圧がかかる。したがって建設現場等の設置が困難な環境においても、取扱いが容易になる。
【００１１】
ハウジングカバーを回動可能な状態で設置するには、ヒンジ等が必要である。好ましくは複数の、あるいは少なくとも一つのヒンジ軸を固定側の面を備えた状態で突設し、該ヒンジ軸を対応する軸受孔に嵌合する。設置後の状態においては確実な固定効果が得られるにも関らず、上記の方法により必要に応じてハウジングカバーとハウジング下部部材が容易に分離可能となる。
ハウジングカバーにおける運動条件、すなわちハウジング下部部材への固定及び中心軸合わせ効果を向上させるため、ヒンジ軸を以下詳細に述べるように構成するのがよい。まず、ヒンジ軸の固定側の対面側の面が面取りされているのが好ましい。該面取りされた丸面によって、ヒンジ軸が軸受孔の内表面に衝接することなく、ハウジングカバーがハウジング下部部材から離れるように回動する。
ヒンジ軸の固定側は（後述する分割面とは）逆方向に角を付けるのが効果的である。それにより固定した状態においては、ハウジングカバーとハウジング下部部材の当接する各々の断面同士は、間にある分割面を中心として互いに引き寄せられるため、ハウジングカバーとハウジング下部部材の乖離は確実に避けられる。結果として位置公差ないしは形状公差を維持することが出来る。
【００１２】
締結部材としてはトグル等が適しており、特にノブ付ねじ（トミースクリュー）として形成するのが好ましい。この場合締結力は正確に適用され、稼働中に意に反して外れることを確実に防ぐことが出来る。
【００１３】
サイクロン型プレセパレータの配設場所については、様々な実施形態が考えられる。好ましくは、サイクロン型プレセパレータにおける長軸がフィルタインサートにおける長軸の接線上に、半径方向に距離を置いて設置される。この場合、サイクロン型プレセパレータから流出した含塵空気流はフィルタインサートを包囲するフィルタハウジング内部空間に、接線方向に導かれる。この構成により、大きく迂回空間を取ることなく、直接半径方向に空気が流入するのを避ける効果が生じ、フィルタインサートあるいは該フィルタインサートを包囲するスポンジフィルタに対して、あらゆる方向から均等に空気を流入させることができる。したがって汚染による過度の負担が局所的にかかるのを防ぐことが出来る。
【００１４】
またサイクロン型プレセパレータの前に空気を流入させるため、格子状の開口壁を設けるのが効果的である。格子壁を設置するのみで、過度に大きい塵埃小片がサイクロン型プレセパレータに吸入されず、過酷な環境下でもサイクロン型プレセパレータの機能を長期間確実に保証できる。
【００１５】
さらなる効果的な実施形態として、ハウジング下部部材底面に清浄空気通路を組み込み、該清浄空気通路を断面が全円ではなく平らに、特に楕円形に形成する。吸気面は前記の平らな形状で十分機能するため、清浄空気通路を設置する際に、底面に設置空間としてさらなる高さを加えずにすむか、あるいはごく少ない高さを加えればすむ。したがって空気フィルタ全体において、高さ方向の広がりを抑えることが出来る。
【発明の効果】
【００１６】
本発明の内燃機関における空気フィルタによれば、プレセパレータにより、フィルタインサートのフィルタ素材の寿命を延ばすことが出来ると共に、プレセパレータの設置空間を効果的に確保出来、塵埃等による負荷が高い内燃機関の運転条件下に使用される空気フィルタであっても、コンパクトな形状で低いメンテナンス頻度において高いフィルタ効果を発揮でき、更には該空気フィルタがコンパクトな形状であることは、例えば建設機械、特にロードローラー等のような整地機械に組み込まれた場合においても、機械の手動操作性を高めることができる。
【図面の簡単な説明】
【００１７】
【図１】吸気口を格子壁で覆われたサイクロンを内蔵したハウジング下部部材及びハウジングカバーを備えた空気フィルタの全体透視図である。
【図２】図１におけるハウジング下部部材の透視図であり、フィルタインサートを設置した状態で空気の流通路の詳細を示す。
【図３】図２における部材配置を示す断面図であり、フィルタインサートの形状及び該フィルタインサートとハウジング下部部材との連接の詳細を示す。
【図４】図１におけるフィルタハウジングの断面図であり、ハウジングカバーがヒンジ軸及びハウジノブ付ねじを用いてハウジング下部部材に固定される詳細を示す。
【図５】図４におけるヒンジ軸の拡大詳細図である。
【図６】図１における部材配置の側面図であり、清浄空気通路の詳細を示す。
【発明を実施するための形態】
【００１８】
本発明の実施例は図１〜６から導き出すことが出来る。
【００１９】
図１に本発明の内燃機関の空気フィルタの実施例を透視図で示す。該実施例は整地機械、ここではロードローラーの内燃機関における空気フィルタである。
空気フィルタは通常の稼働位置と同じ位置に示され、高さ方向３７、側辺方向３８及び長さ方向３９に広がるほぼ直方体の外郭を持つ。空気フィルタはハウジング下部部材２及び該ハウジング下部部材に着脱可能に載置されるハウジングカバー３を備える。ハウジングカバー３は特に締結部材１４によりハウジング下部部材２に固定され、該締結部材１４は図示の通りノブ付ねじ１５として実施される。ハウジングカバー３をハウジング下部部材２に締結するさらなる方法については、図２、図４及び図５との関連で詳しく後述する。
【００２０】
稼働中に吸気した燃焼空気は、矢印が示す流入方向５に沿ってフィルタハウジング１に流入する。フィルタハウジング１は吸気口側に流入方向５に沿ってサイクロン型プレセパレータ６を備え、該サイクロン型プレセパレータ６は前記フィルタハウジング１の一部として内蔵される。サイクロン型プレセパレータ６を内蔵するのはハウジングカバー３でもよいが、本実施形態においては、サイクロン型プレセパレータ６をハウジング下部部材２の一部として形成する。サイクロン型プレセパレータ６は外側、すなわちハウジングカバー３の周囲壁上に格子壁２１を備える。したがって塵埃を含んだ吸気空気はまず流入方向５に沿って格子壁２１を流過し、その後サイクロン型プレセパレータ６に流入する。
【００２１】
図２は、図１におけるハウジングカバー３（図１で図示）を取り外した状態でのハウジング下部部材２の詳細透視図である。
サイクロン型プレセパレータ６及び清浄空気通路１３はハウジング下部部材２と同一の素材で一体化して形成され、プラスチック射出成形によって鋳造された構成部材として実施される。
【００２２】
ハウジング下部部材２には交換可能なフィルタインサート４が挿入され、該フィルタインサート４は基本的に円筒状に形成され、高さ方向３７と平行に位置する長軸２０を備える。フィルタインサート４の直径は前記長軸２０の軸方向広がりよりも大きく、図示した本実施形態においては約２倍である。
さらに本実施形態では中空円筒状に形成されたスポンジフィルタ７が、フィルタインサート４の長軸２０を環状に包囲するように、同軸上に設置される。スポンジフィルタは半径方向内側においてフィルタインサート４と堅固に連結し、該フィルタインサート４の交換時に同時に交換可能な構成部材として組み込まれる。
あるいはフィルタインサート４とスポンジフィルタ７を２つの独立した別個の部材として形成するのも効果的である。さらに円筒以外の形状として形成するのもよい。
【００２３】
吸気方向５には、前記スポンジフィルタ７より先に機能するサイクロン型プレセパレータ６が形成され、さらに該スポンジフィルタ７はフィルタインサート４より先に機能する。
したがって空気フィルタにおける空気の流入は段階的に行われ、すなわち吸気空気はまずサイクロン型プレセパレータ６に流入し、続いてスポンジフィルタ７に流入し、最後にフィルタインサート４に流入する。
【００２４】
サイクロン型プレセパレータ６は基本的に円筒形状で、長さ方向３９と平行に位置する長軸２３に沿って広がり、フィルタインサート４の長軸２０と垂直かつ半径方向に距離を置いて形成される。したがってサイクロン型プレセパレータ６はフィルタインサート４の接線上に、さらにフィルタインサート４を包囲するフィルタハウジング１の内部空間に配設される。
サイクロン型プレセパレータ６に流入した空気は周知の方法により回転運動をともなう。このように遠心力がかかることによって粗大な塵埃の小片は分離され、矢印４０の方向に導かれる。
【００２５】
上記の方法で前もって浄化された空気は、矢印２４に沿ってフィルタハウジング１の内部空間の接線上に、少なくとも接線上近傍に流入し、フィルタインサート４及びスポンジフィルタ７からなる部材を包囲するように、該部材の円周方向に導かれる。
前記空気は続いて矢印２５に沿って、すなわち半径方向にスポンジフィルタ７に透過され、その際中型の塵埃小片は浄化後の空気に逆戻りしないようにフィルタに保持される。
【００２６】
その後、空気は図３において詳細に図示するフィルタインサート４におけるフィルタエレメント８に対し、同じく矢印２５に沿って半径方向に流入し、浄化途上にある空気に残っている微細な塵埃粒子が除去される。
【００２７】
上記の方法で浄化された空気流は、矢印２６に沿ってさしあたっては高さ方向３７下方に導かれ、続いて矢印２７に沿ってフィルタハウジング１の清浄空気通路１３から清浄空気として排出され、内燃機関（不図示）に流入する。
【００２８】
さらに図２からは次のような詳細構成が見て取れる。ハウジング下部部材２の長さ方向３９前方に、ノブ付ねじ１５（図１で図示）のねじ受けとして金属製のインサートコイル２８が挿入される。ハウジング下部部材２において、前記前方の反対側にあたる後方には、少なくとも一つの、本実施形態においては３つのヒンジ軸１６が形成される。該ヒンジ軸１６の機能については、図４及び図５との関連で詳しく後述する。
【００２９】
図３は、図２における部材配置を示す断面図であり、フィルタインサート４の形状及び該フィルタインサート４とハウジング下部部材２との連結の詳細を示す。フィルタインサート４は円筒状のフィルタエレメント８を備え、該フィルタエレメント８はフィルタ素材９により構成される。該フィルタ素材９は環状に閉じた形に形成され、ジグザク線で略図示したように星形放射状に折り畳まれる。本実施形態ではフィルタ素材９としてフィルタ紙を選択するが、他の素材を用いてもよい。
フィルタ素材９は、空気流を流過させる中央管２９によって半径方向内側を支持され、該中央管２９はフィルタインサート４の清浄側空間を包囲する。フィルタ素材８及び該清浄側空間の軸方向上側表面はポリウレタンフォーム製の底面１０によって閉鎖される。反対側にあたるフィルタエレメント８の下側表面は、同じくポリウレタンフォーム製のカバー１１によって密閉される。
底面１０及びカバー１１はフィルタ素材９に装着され、該フィルタ素材９は中央管２９を内包する。カバ−１１における中央管２９の半径方向内側には支持リング３０が嵌合され、該支持リング３０は、カバー１１の中央にある排気口１２を包囲する。
半径方向外側にある、環状に形成されたスポンジフィルタ７は、フィルタエレメント８、該フィルタエレメント８の底面１０及びカバー１１を内包する。
【００３０】
ハウジング下部部材２は下部にハウジング底面２２を備え、該ハウジング底面２２は長軸２０の同軸上に配された連結路３２と一体化して形成される。フィルタインサート４は支持リング３０を介して連結路３２に嵌合しており、一方フィルタインサート４のカバー１１は、連結路３２との間を支持リング３０により半径方向に区別されている。ちなみにカバー１１及び底面１０は空気が混合しないよう全体的に密閉されているため、空気の混合を避けるには、フィルタインサート４とフィルタハウジング１の間の密接な連結を実現するのみで十分であり、すなわち支持リング３０を連結路３２に接するように設置するだけでよい。
連結路３２だけでなく清浄空気通路１３もまたハウジング底面２２と一体化するように形成される。該連結路３２と清浄空気通路１３は空気を導通するように連結し、該清浄空気通路１３は連結路３２のおよそ半径方向に向かって分け入っている。
【００３１】
図４は図１におけるフィルタハウジング１の断面図であり、ハウジングカバー３がヒンジ軸１６及びノブ付ねじ１５を用いてハウジング下部部材２に固定される詳細を示す。ハウジングカバー３を装着すると、該ハウジング下部部材２の外周壁３４表面に沿って包囲するように、ハウジングカバ−３とハウジング下部部材２との境界面が出現する。該平らな境界面を分割面３５とする。
ハウジングカバ−３とハウジング下部部材２を互いに固定するために、分割面３５を包囲するストリップフレーム３３を設置する。該ストリップフレーム３３は外周壁３４における分割面３５の範囲に環状に適用され、両部材が分割面３５を境に脱落するのを防ぐことが出来る。
【００３２】
前記ストリップフレーム３３はヒンジ軸１６の数に対応した軸受孔１８を備え、該ヒンジ軸１６は軸受孔１８に嵌合する。ヒンジ軸１６と軸受孔１８の配設を逆にすることも可能であり、その場合ヒンジ軸１６はハウジングカバー３側に設置され、ハウジング下部部材２に配された軸受孔１８に嵌合する。
ヒンジ軸１６及び軸受孔１８の反対側にはノブ付ねじ１５が配設され、該ノブ付ねじ１５はハウジング下部部材２におけるインサートコイル２８に螺合する。
以上のように前記ヒンジ軸１６、軸受孔１８及びノブ付ねじ１５により、ハウジングカバー３が分割面３５を挟んでハウジング下部部材２上に固定される。
【００３３】
ヒンジ軸１６のさらなる構成については、以下図５における近視図との関連で述べる。ハウジングカバー３は該当の側において、ハウジング下部部材２上に回動可能な状態で設置される。ノブ付ねじ１５を緩めると、ハウジングカバー３はヒンジ軸１６を軸として回動するものの、ヒンジ軸１６は軸受孔１８に嵌合しているため、ハウジングカバー３とハウジング下部部材２との接続状態を保つことが出来る。ヒンジ軸１６から軸受孔１８を外せば、ハウジングカバー３を完全に装脱することも可能である。再度ハウジングカバーを装着する場合にはヒンジ軸１６を軸受孔１８に嵌合し、さらにノブ付ねじ１５を締結すればよい。
【００３４】
ハウジングカバー３の装着時には、スポンジフィルタ７を含むフィルタインサート４はハウジングカバー３及びハウジング下部部材２によって軸方向に挟着固定される。図４に示すように、閉鎖した底面１０はハウジングカバー３の輪縁に平面的に接し、一方で反対側のカバー１１（図３で図示）における支持リング３０は、中央管３２を包囲する設置面３１上に圧接している。
ノブ付ねじ１５を締結することにより、ハウジングカバー３がハウジング下部部材２に固定されるばかりでなく、フィルタインサート４（図３で図示）もまたハウジングカバー３及びハウジング下部部材２によって軸方向に挟着固定される。
【００３５】
さらに図４からは次のような詳細構成が見て取れる。清浄空気通路１３は長軸３６に沿って中央管３２の半径方向に設置され、該設置位置はさらに長さ方向３９から水平角にしてα℃の位置にある。したがって、清浄空気通路１３はフィルタハウジング１の中心ではなく、側壁の範囲において、フィルタハウジング１から後側方にずれた位置に形成される。
さらに清浄空気通路１３は、全円ではなく平らな、本実施形態においては楕円形の断面を有し、該楕円の長軸はハウジング底面２２とおよそ同じ水平面上にある。
【００３６】
図５は図４におけるヒンジ軸１６及びそれに対応する軸受孔１８の拡大詳細図である。
ヒンジ軸１６は軸受孔１８に遊嵌され、軸方向の挟力によって、ヒンジ軸１６の固定側１７は対応する軸受孔１８の内表面に密接する。ヒンジ軸１６において、固定側１７とは反対の側１９は面取りされた丸面形状として実施される。これにより、上述したようにハウジングカバー３がハウジング下部部材２上で、固定側１７の範囲を支点として回動可能となる。
固定側１７は、分割面３５とは逆方向に角を付けて形成されるため、該固定側１７は分割面３５に向かって半径方向内側に、γ℃の鋭角を有する。したがって固定側１７と軸受孔１８の対応した面に上記軸方向の挟力がかかると、該γ℃の角度によって該挟力が分解され、ハウジングカバー３のストリップフレーム３３をハウジング下部部材２の外周壁３４に向かって半径方向内側に引きつける分力が発生する。結果としてハウジングカバー３がハウジング下部部材２から乖離することが避けられ、所定の位置公差ないしは形状公差を維持することが出来る。ハウジングカバー３とハウジング下部部材２とを密着させるために、さらなる措置を講じる必要はない。
【００３７】
図６は図１における部材配置の側面図であり、清浄空気通路１３の詳細を示す。該清浄空気通路１３の長軸３６は水平なハウジング底面２２の向かいに、ないしは長さ方向３９からβ℃分図示したように傾斜して設置され、該清浄空気通路１３により、矢印２７が示す排気流は高さ方向３７の方向に傾けられる。図４に示した平断面図との関連させて見ると、ハウジング底面２２はハウジング下部部材２に一体化していることが分かる。したがって清浄空気通路１３は高さ方向３７において、ハウジング下部部材２あるいは該ハウジング下部部材内蔵のハウジング底面２２の外郭からはみ出ることはない。
【符号の説明】
【００３８】
１      フィルタハウジング
２      ハウジング下部部材
２２    ハウジング底面
１３      清浄空気通路
１２      排気口
３      ハウジングカバー
１４      締結部材
１５      ノブ付ねじ
４      フィルタインサート
５      吸気口
６      サイクロン型プレセパレータ
２１      格子壁
７      スポンジフィルタ
８      フィルタエレメント
１０      底面
１１      カバー
２０      長軸
１６      ヒンジ軸
１７      固定側
１８      軸受孔
【図１】
2010185452.tif 000003
【図２】
2010185452.tif 000004
【図３】
2010185452.tif 000005
【図４】
2010185452.tif 000006
【図５】
2010185452.tif 000007
【図６】
2010185452.tif 000008